(57)【要約】【課題】用紙の表面に印刷された情報の確認を要せず裏面のみで表面に印刷された情報が機密性の高いものであることを判断でき、該用紙の裏面の再利用を禁止あるいは妨害する構成の用紙で、且上記構成が用紙の表面の情報の判読に影響しない構成の用紙を開発する。【解決手段】用紙の裏面に、該裏面をメモ用紙やコピー用紙や封筒用紙等として再利用することを禁止あるいは妨害するための再利用防止要素、すなわち文字や絵柄や色面、あるいはそれらの組み合わせ等の再利用防止要素が予め印刷されている裏面再利用防止用紙を提供する。【選択図】        図１
2006069059.tif 000002
【特許請求の範囲】
【請求項１】
コンピューターや事務用機器の出力用紙として主に用いられる用紙において、該用紙の裏面に、該裏面をメモ用紙やコピー用紙や封筒用紙等として再利用することを禁止あるいは妨害するための再利用防止要素が印刷されていることを特徴とする裏面再利用防止用紙。
【請求項２】
請求項１に記載の再利用防止要素が、
１．     文字
２．     絵柄
３．     色面（有彩色あるいは無彩色の色面）
４．     上記文字と上記絵柄の組み合わせ
５．     上記文字と上記色面の組み合わせ
６．     上記絵柄と上記色面の組み合わせ
７．     上記文字と上記絵柄と上記色面の組み合わせ
上記１〜７の要素のいずれかであることを特徴とする請求項１に記載の裏面再利用防止用紙。
【請求項３】
請求項２に記載の１〜７の各要素の白紙に対する明度差あるいは請求項２に記載の１〜７の各要素の間の明度差が、オフセット印刷用インクの黒色により形成される網点によって構成されるグレースケールの明度差に換算して５％〜８５％の範囲内、望むべくは１０％〜７５％の範囲内、さらに望むべくは１５％〜６５％の範囲内であることを特徴とする請求項２に記載の裏面再利用防止用紙。
【請求項４】
裏面再利用防止用紙の裏面の任意の１辺２ｃｍの正方形の範囲内に、請求項２に記載の１〜７の要素のいずれかが必ず１以上含まれていることを特徴とする請求項３に記載の裏面再利用防止用紙。
【請求項５】
請求項２に記載の１〜７の各要素において、該１〜７の各要素に含まれる区画線や文字列を裏面再利用防止用紙の上辺に対して傾斜させ、あるいは曲線状としたことを特徴とする請求項２あるいは請求項３あるいは請求項４に記載の裏面再利用防止用紙。
【請求項６】
裏面再利用防止用紙が、各シートがミシン目である折線によって連続された所謂連帳用紙であることを特徴とする請求項１あるいは請求項２あるいは請求項３あるいは請求項４あるいは請求項５に記載の裏面再利用防止用紙。
【請求項７】
裏面再利用防止用紙が、各シートが完全に独立した単体となっている所謂単票用紙であることを特徴とする請求項１あるいは請求項２あるいは請求項３あるいは請求項４あるいは請求項５に記載の裏面再利用防止用紙。
【発明の詳細な説明】
【技術分野】
【０００１】
本発明は、コンピューターや事務用機器の出力用紙として主に用いられる用紙において、各シートがミシン目である折線によって連続された所謂連帳用紙や各シートが完全に独立した単体となっている所謂単票用紙等の用紙の裏面がメモ用紙やコピー用紙や封筒用紙等として再利用されることを防止するために、上記用紙の裏面に再利用することを禁止するための再利用防止要素、すなわち再利用を禁止あるいは妨害するための文字や絵柄や色面やそれらを組み合わせた要素を印刷してなる裏面再利用防止用紙に関するものである。
【背景技術】
【０００２】
昨今、資源の再利用の機運が高まるにつれ、役所や事業所あるいは学校や研究機関等にて用いられている汎用コンピューターやパーソナルコンピューターの出力用紙、あるいは複写機やファクシミリ等の事務用機器の出力用紙等の節約も叫ばれるようになり、現在では一旦情報を出力して片面に印刷が施された用紙であっても裏面が白紙の場合は積極的に再利用されているのが常態となっている。
【０００３】
すなわち、パーソナルコンピューターや複写機やファクシミリの出力用紙として用いられる所謂単票用紙、つまり１枚１枚が切り離された状態の用紙は、裏面が白紙の場合、裏返して再びパーソナルコンピューターや複写機やファクシミリの出力用紙として利用したり、あるいは適当に裁断してメモ用紙として利用されたりしているケースが多い。
【０００４】
また汎用コンピューターの出力用紙として主として用いられる所謂連帳用紙、つまり複数枚の用紙がミシン目によって折畳まれ連続されている用紙の場合には、一度使用した連帳用紙を汎用コンピューター等の出力用紙として再利用する例は少ないが、適当に裁断してメモ用紙とするのは無論のこと、連帳用紙は厚手であるので、その厚みを生かして折畳み糊付けし、裏面の白紙を表面にして封筒として再利用されているケースも少なくないのが現状である。
【０００５】
上記のような状況は、確かに資源の再利用という観点からは好ましいことであるが、しかしながらこの再利用による各種の問題も発生してきている。その中でも、特に機密漏洩の問題は重大な問題として浮上しつつある。すなわち、一度使用された用紙の裏面が、パーソナルコンピューターや複写機やファクシミリの出力用紙として再利用された場合、表面に印刷された元々の情報は消えないので、再利用された用紙の管理が疎かになると表面に印刷された元々の情報が外部に簡単に漏洩してしまう。
【０００６】
この状況は、一度使用された用紙の裏面がメモ用紙や封筒用紙として用いられた場合にも全く同様である。さらに、この問題は、上記単票用紙だけではなく、主として汎用コンピューターの出力用紙として用いられる連帳用紙でも全く同様であり、機密性の高いデータが簡単に外部に漏洩してしまう危険性を孕んでいる。
【０００７】
しかしながら、機密漏洩を懼れるあまり、すべての用紙を使用後にシュレッダーにかけるということも現実的ではないし、印刷された情報に機密性がない場合には、やはり用紙の裏面を再利用して節約と省資源化を図るのが、経営面から見ても社会情勢からしてもあるべき姿であることは論を俟たないところである。したがって、印刷された情報が機密性の高いものである場合には、該情報に関する判断如何にかかわらず再利用ができないような用紙があれば理想的であると言える。
【０００８】
パーソナルコンピューターにおいては、機密性の高い情報の印刷面には、丸に秘の字をいれた文字を印刷したり、あるいは「極秘」、「部外秘」等の文字を入れて判明にしたりするという方法は採られていた。しかも、スタンプ等によらず、ソフトウェアにより自動的に印字出力する方法もある（下記特許文献１及び下記非特許文献１の８４ページ参照）。しかしながら、機密性の高い情報のすべてにこのような処理が施してあるとは限らないし、裏面を再利用する際に、上記処理に気づかずに再利用してしまうということもあり得る。すなわち、人間の判断に頼っていては限界があるということは明らかである。
【０００９】
また、出力装置が汎用コンピューターに多用されるドットインパクトプリンタの場合には、印字方法がインクジェットプリンタやレーザープリンタとは全く異なるので、上記のような方法は用いることができない。したがって、これを機密情報であると明示するには一々人間が「丸秘」や「極秘」等の印を押さねばならないが、それは大変な作業となってしまう。しかも、この場合、連帳用紙に印字出力される情報は、文字や数字の羅列になるので、その情報が機密性の高いものであるかどうかを判読して選別し押印するのもなかなか大変な作業となる。
【００１０】
しかしながら、今後、個人情報の保護に関する法律の施行も予定されている環境の中で、役所や企業、学校や研究機関の扱う機密性の高い情報の確実な管理は、一層重要なこととなってくるのは間違いのないところである。従って、印刷された情報が機密性の高いものであるかどうかの判断を、情報の内容を認識できるできないにかかわらず確実に判断でき、機密性の高い情報が印刷された用紙は外部に漏洩することなく確実に廃棄でき、機密性のない情報が印刷された用紙は心配なく再利用ができるような構成の用紙の開発が望まれるところである。
【特許文献１】特開平９−３０５５７６（特願平８−１１５００５）
【非特許文献１】田中亘＆インプレス書籍編集部著「できるWord98   Windows98版」株式会社インプレス、１９９８年８月１１日初版発行
【発明の開示】
【発明が解決しようとする課題】
【００１１】
叙上より、本発明が解決しようとする課題を以下のように設定した。
＜課題１＞
コンピューターや事務用機器の出力用紙として主に用いられる用紙において、該用紙に印刷された情報を一々読まなくても、該情報が機密性の高いものであるかどうかを的確に判断でき、上記用紙が再利用できるものであるか否かを疑問の余地なく判定できるような用紙を開発する。
＜課題２＞
上記用紙の裏面を再利用しようとしてもできない、あるいは再利用を非常に行いづらい構成の用紙を開発する。
＜課題３＞
上記構成により、上記用紙の表面に対する印字あるいは印字された情報の判読に関し影響がでないような構成の用紙を開発する。
【課題を解決するための手段】
【００１２】
本発明は、上記課題を解決するためになされたものであって、下記の１〜７の解決手段を提供するものである。
＜解決手段１＞
コンピューターや事務用機器の出力用紙として主に用いられる用紙において、該用紙の裏面に、該裏面をメモ用紙やコピー用紙や封筒用紙等として再利用することを禁止あるいは妨害するための再利用防止要素が印刷されていることを特徴とする裏面再利用防止用紙。
＜解決手段２＞
解決手段１に記載の再利用防止要素が、
Ａ．文字
Ｂ．絵柄
Ｃ．色面（有彩色あるいは無彩色の色面）
Ｄ．上記文字と上記絵柄の組み合わせ
Ｅ．上記文字と上記色面の組み合わせ
Ｆ．上記絵柄と上記色面の組み合わせ
Ｇ．上記文字と上記絵柄と上記色面の組み合わせ
上記Ａ〜Ｇの要素のいずれかであることを特徴とする解決手段１に記載の裏面再利用防止用紙。
＜解決手段３＞
解決手段２に記載のＡ〜Ｇの各要素の白紙に対する明度差あるいは解決手段２に記載のＡ〜Ｇの各要素の間の明度差が、オフセット印刷用インクの黒色により形成される網点によって構成されるグレースケールの明度差に換算して５％〜８５％の範囲内、望むべくは１０％〜７５％の範囲内、さらに望むべくは１５％〜６５％の範囲内であることを特徴とする解決手段２に記載の裏面再利用防止用紙。
＜解決手段４＞
裏面再利用防止用紙の裏面の任意の１辺２ｃｍの正方形の範囲内に、解決手段２に記載のＡ〜Ｇの要素のいずれかが必ず１以上含まれていることを特徴とする解決手段３に記載の裏面再利用防止用紙。
＜解決手段５＞
解決手段２に記載のＡ〜Ｇの各要素において、該Ａ〜Ｇの各要素に含まれる区画線や文字列を裏面再利用防止用紙の上辺に対して傾斜させ、あるいは曲線状としたことを特徴とする解決手段２あるいは解決手段３あるいは解決手段４に記載の裏面再利用防止用紙
＜解決手段６＞
裏面再利用防止用紙が、各シートがミシン目である折線によって連続された所謂連帳用紙であることを特徴とする解決手段１あるいは解決手段２あるいは解決手段３あるいは解決手段４あるいは解決手段５に記載の裏面再利用防止用紙。
＜解決手段７＞
裏面再利用防止用紙が、各シートが完全に独立した単体となっている所謂単票用紙であることを特徴とする解決手段１あるいは解決手段２あるいは解決手段３あるいは解決手段４あるいは解決手段５に記載の裏面再利用防止用紙。
【００１３】
解決手段１に記載の発明は、所謂「フェイル・プルーフ」あるいは「フェイル・セーフ」と呼ばれる発想に基くもので、この発想は、基本的に、「人間は間違いを犯すものである」という考え方に立脚する。すなわち、たとえ表面に印字された情報に丸秘や極秘のスタンプが押されていたとしても、それを見過ごし、あるいは用紙の裏面が白紙であることだけを見て用紙の裏面を再利用してしまう可能性が人間には誰でもあるという前提に立ち、その場合にても確実に再利用を防止できる用紙を発明したものである。
【００１４】
すなわち、用紙の裏面に再利用を禁止あるいは妨害する再利用防止要素が予め印刷されているなら、用紙の表面を確認せずに再利用しようとする人に対しても、また、用紙の表面を確認してもそこに記された情報の重要性を認識できない人に対しても、用紙の裏面の上記再利用防止要素だけで再利用を思いとどまらせることが可能である。したがって、機密性の高い情報の出力の場合には、印刷用紙として解決手段１に記載の用紙を用いることにより、確実に用紙の再利用を防止することが可能となる。
【００１５】
解決手段２に記載の発明は、上記の再利用防止要素を具体的に特定したもので、用紙が利用される環境、あるいは用紙を利用する人員の理解する言語の違い等により、解決手段２に記載の各要素を選択することによって、さまざまな構成が可能であることを示している。この件に関する詳細については、発明の効果の項に詳述する。
【００１６】
解決手段３に記載の発明は、解決手段１あるいは解決手段２に記載の再利用防止要素において、各要素の白紙に対する明度差あるいは各要素間の明度差に数値限定を設けたもので、これにより、再利用防止要素が用紙の表面に透過して見える、所謂「裏うつり」の可能性をできるだけ低く抑え、用紙の裏面に印刷された再利用防止要素が用紙の表面に印字出力された情報に与える影響を可能な限り低減せんとするものである。
【００１７】
すなわち、用紙の種類や厚さ、また使用環境によっては、所謂「裏うつり」と呼ばれる、用紙の裏面に印刷された要素が用紙の表面に透過して見える現象が発生し、用紙の表面に印刷された情報を見づらくし、甚だしくは用紙の表面に印刷された情報を誤認させることさえある。この現象は、用紙の裏面に印刷された要素の白紙に対する明度差、あるいは、用紙の裏面に印刷された要素の各要素間の明度差が大になればなるほど際立ってくるものであるので、この明度差に関して解決手段３に記載の数値限定を設けたものである。
【００１８】
この際、再利用防止要素は多くの場合、オフセット印刷により印刷されるものと想定されるので、数値限定においては、実質的に最も有効であると思われるオフセット印刷用インクの黒色により形成される網点によって構成されるグレースケールの明度差に換算して表示した。このグレースケールにおいては、オフセット印刷用インクの黒色の網点が存在しない場合を０％、逆に全面がオフセット印刷用インクの黒色に被覆されている場合を１００％としている。
【００１９】
ちなみに、通常のオフセット印刷においては、シアン、マゼンダ、イエロー、黒の４色のインクが用いられるが、この４色をグレースケールに換算した濃度（単位は％）で示すと、以下のとおりとなる。
シアン１００％  →  グレースケール濃度で３０％
シアン５０％  →  グレースケール濃度で１５％
シアン２５％  →  グレースケール濃度で７．５％
マゼンダ１００％  →  グレースケール濃度で５９％
マゼンダ５０％  →  グレースケール濃度で２９．５％
マゼンダ２５％  →  グレースケール濃度で１４．７５％
イエロー１００％  →  グレースケール濃度で１１％
イエロー５０％  →  グレースケール濃度で５．５％
イエロー２５％  →  グレースケール濃度で２．７５％
黒１００％  →  グレースケール濃度で１００％
黒５０％  →  グレースケール濃度で５０％
黒２５％  →  グレースケール濃度で２５％
なお、上記換算は、Adobe（登録商標）社製のグラフィックソフトであるIllustrator（登録商標）のバージョン１０を用いて行ったものである。
【００２０】
再利用防止要素の白紙に対する明度差あるいは再利用防止要素の各要素間の明度差がグレースケールに換算して８５％を越えると、殆ど１００％の濃度差と変わらなくなり、用紙の厚さによっては所謂「裏うつり」がかなり気になってくる。また、上記明度差が５％を下回ると、今度は再利用防止要素の視認性が著しく低下してしまう。したがって、５％を下限とし、８５％を上限とした。
【００２１】
但し、上記の上限と下限はあくまでも最大の範囲を表すもので、実際にはもうすこし範囲が狭い方が使い易い。実際にちらし広告等のオフセット印刷にて「最も薄いグレー」として多用されるのは１０％のグレーであり、また、７５％を越えると、場合によっては１００％の黒と誤認されることもあるという点から、望ましい範囲を１０％〜７５％と設定した。
【００２２】
さらに、連量で７５ｋｇを下回るようなかなり薄手の用紙の場合等にては上記濃度差が６５％を越えると所謂「裏うつり」が相当気になり始める。また、暗い部屋などでは１５％の濃度差を下回ると視認性に問題が出てくる場合もある。なお、「連量」とは用紙の厚さを示し、通常は四六版の用紙１，０００枚の重量（単位ｋｇ）をもって表示する。そこで、以上のような各種の条件を考慮にいれると、上記範囲をさらに絞っていくことも考えられる。したがって、最も望ましい範囲として、明度差１５％〜６５％との設定を設けたものである。明度差が６５％以下であれば、通常オフィスで用いられる用紙においては、所謂「裏うつり」は生じても余り気にならない範囲内であり、また、明度差が１５％以上であれば、通常のオフィスの照明条件では充分に視認性を確保できる範囲内である。
【００２３】
解決手段４に記載の発明は、前記再利用防止要素が配置される際の密度に関するものである。すなわち、用紙の裏面に前記再利用防止要素が印刷されていても、その配置が偏っていて、印刷がなされていない面がある程度以上の面積をもって存在していると、その部分をメモとして利用することが可能となってくる。したがって、１辺が２ｃｍの任意の正方形の範囲を採り上げた場合に、必ずその中に前記再利用防止要素が印刷されていることとした。１辺が２ｃｍの任意の正方形は、メモ用紙として快適に利用し得る最小限の面積として設定したものである。
【００２４】
解決手段５に記載の発明は、２つの目的をもってなされている。その第１は、上記「裏うつり」の問題に対する対処である。すなわち、「裏うつり」が生じ、しかもその「裏うつり」が人によっては煩わしく思える程度であった場合にても、裏面に印刷された再利用防止要素の区画線や文字列などを用紙の上辺に対して傾斜させ、あるいは曲線をもって印刷することにより、用紙の表面に印刷された文字列に対して再利用防止要素の区画線や文字列などが平行に位置することを避け、これにより「裏うつり」による煩わしさを少しでも低減せんとするものである。
【００２５】
人間の視覚においては、裏面に印刷された区画線や文字列が「裏うつり」にて表面の文字列に平行して視認された場合、表面の文字列に対してアンダーラインやマーキングが施されたような印象となって、甚だしい場合には、表面の文字列の意味を誤認させる可能性すらないとはいえない。しかるに、裏面に印刷された区画線や文字列が表面の文字列に対して斜めや曲線状になっているときには、上記印象は相当に軽減される。このため、
解決手段５に記載の発明においては、裏面に印刷された再利用防止要素において、各要素に含まれる区画線や文字列を裏面再利用防止用紙の上辺に対して傾斜させ、あるいは曲線状としたものである。
【００２６】
解決手段５に記載の発明のもう一つの目的は、用紙がかなり細かく裁断された場合にても、該用紙の裏面がメモ用紙として利用されることを防止せんとするものである。すなわち、再利用防止要素の配置密度に関しては、解決手段４に記載の発明において、１辺２ｃｍの任意の正方形の中に必ず再利用防止要素のいずれかが含まれることという限定がなされている。しかしながら、用紙を裁断してメモ用紙を作る場合には、殆どの場合が用紙の各辺に平行に裁断を行うため、再利用防止要素の区画線や文字列が用紙の各辺のいずれかに平行であった場合には、１辺の長さが２ｃｍを僅かに下回り、しかもその中には再利用防止要素が印刷されていない細片ができる可能性が残る。しかるに、再利用防止要素の区画線や文字列が用紙の上辺に対して傾斜していたり曲線状となっている場合には、このような可能性は減少する。したがって、用紙を細片に裁断した場合にても用紙の裏面のメモ用紙としての再利用をさらに困難とするものである。
【００２７】
解決手段６に記載の発明は、上記解決手段１〜解決手段５の発明を、各シートがミシン目である折線によって連続された所謂連帳用紙に対して適用したものである。また、解決手段７に記載の発明は、上記解決手段１〜解決手段５の発明を、各シートが完全に独立した単体となっている所謂単票用紙に対して適用したものである。役所や事業所あるいは学校や研究機関等にて用いられている出力用の用紙は、その殆どが上記連帳用紙あるいは上記単票用紙であるので、本発明の最も具体的な適用範囲がこの２種類の用紙であるということになる。
【発明の効果】
【００２８】
本発明の解決手段１の発明によれば、コンピューターや事務用機器の出力用紙として主に用いられる用紙において、該用紙の裏面に、該裏面をメモ用紙やコピー用紙や封筒用紙等として再利用することを禁止あるいは妨害するための再利用防止要素が印刷されているので、機密性の高い内容については最初から当該用紙を用い、当該用紙の表面に印刷出力することにより、当該用紙が再利用されるのを確実に防止することが可能である。すなわち、機密性の高い情報は当初から当該用紙の表面に印刷出力する。そうすれば、誰かが当該用紙を再利用しようと思って裏返してもそこには上記の再利用することを禁止あるいは妨害するための再利用防止要素が既に印刷されているので、表面を確認しなくても表面に印刷された内容が機密性の高いものであることが誰でも確実に看取でき、結果として再利用を確実に防止できるものである。
【００２９】
本発明の解決手段２の発明によれば、解決手段１に記載の再利用防止要素が、
Ａ．文字
Ｂ．絵柄
Ｃ．色面（有彩色あるいは無彩色の色面）
Ｄ．上記文字と上記絵柄の組み合わせ
Ｅ．上記文字と上記色面の組み合わせ
Ｆ．上記絵柄と上記色面の組み合わせ
Ｇ．上記文字と上記絵柄と上記色面の組み合わせ
上記Ａ〜Ｇの要素のいずれかであるので、用紙が用いられる環境や用紙を用いる人員の国籍や理解できる言語等により、上記Ａ〜Ｇの要素のいずれかを選択することにより、用紙の再利用を確実に防止することができる。
【００３０】
すなわち、例えば用紙を用いる人員が日本人に限定される場合には上記Ａ、Ｄ、Ｅ、Ｇにおいて用いる文字を日本語にすることができるし、英語を理解できる人員に限定される場合には上記Ａ、Ｄ、Ｅ、Ｇにおいて用いる文字を英語にすることができる。また、理解できる言語が異なる複数の人員が用紙を用いる環境においては、上記Ａ、Ｄ、Ｅ、Ｇにおいて用いる文字を複数化することも可能であるし、文字を用いず、上記Ｂ、Ｃ、Ｆのいずれかを用いることにより、いかなる言語を用いる人員にも理解させることが可能となる。
【００３１】
本発明の解決手段３の発明によれば、上記Ａ〜Ｇの各要素の白紙に対する明度差あるいは上記Ａ〜Ｇの各要素の間の明度差が、オフセット印刷用インクの黒色により形成される網点によって構成されるグレースケールの明度差に換算して５％〜８５％の範囲内、望むべくは１０％〜７５％の範囲内、さらに望むべくは１５％〜６５％の範囲内であるので、上記Ａ〜Ｇの各要素が用紙の表面に透過して用紙の表面に印字された情報が見づらくなる可能性を低く抑えることができる。
【００３２】
本発明の解決手段４の発明によれば、裏面再利用防止用紙の裏面の任意の１辺２ｃｍの正方形の範囲内に、上記Ａ〜Ｇの要素のいずれかが必ず１以上含まれているので、上記用紙の裏面のいずれの１辺２ｃｍの正方形の範囲内をとっても完全な白紙の状態ではなく、上記用紙を細かく裁断してメモ用紙として利用としても利用しづらく、結果として上記用紙の裏面がメモ用紙として利用されることを防ぐことができる。
【００３３】
本発明の解決手段５の発明によれば、上記Ａ〜Ｇの各要素において、該Ａ〜Ｇの各要素に含まれる区画線や文字列を裏面再利用防止用紙の上辺に対して傾斜させ、あるいは曲線状としたので、万一所謂「裏うつり」が発生しても、上記Ａ〜Ｇの各要素の区画線や文字列が表面に透過して、表面に印刷された情報に対するアンダーラインやマーキング等と誤認される恐れが著しく低減されるものである。またこのような誤認が発生するには至らずとも、表面に印刷された情報の視認性に影響を与えて見づらくなるという可能性も大きく低減されるものである。
【００３４】
また同じく本発明の解決手段５の発明によれば、上記Ａ〜Ｇの各要素において、該Ａ〜Ｇの各要素に含まれる区画線や文字列を裏面再利用防止用紙の上辺に対して傾斜させ、あるいは曲線状としたので、該用紙を各辺に平行に細かく裁断して裏面をメモ用紙として利用しようとした場合にても、上記Ａ〜Ｇの各要素が裁断された範囲内に入ってくる確率が、用紙のいずれかの辺に平行となる区画線や文字列が多く存在する場合に比較して大となるため、メモ用紙としてより利用しづらい構成となっているものである。
【００３５】
本発明の解決手段６の発明によれば、上記解決手段１〜解決手段５の発明が、各シートがミシン目である折線によって連続された所謂連帳用紙において実現されているので、本発明の解決手段６に記載の裏面再利用防止用紙を用いることにより、ドットインパクトプリンタ等にて出力される機密性の高い情報が外部に漏洩されるのを確実に防止することができる。また、機密性のない情報の場合には、本発明の解決手段６に記載の裏面再利用防止用紙を用いないことにより、安心して用紙の再利用を行うことが可能である。
【００３６】
本発明の解決手段７の発明によれば、上記解決手段１〜解決手段５の発明が、各シートが完全に独立した単体となっている所謂単票用紙において実現されているので、本発明の解決手段７に記載の裏面再利用防止用紙を用いることにより、パーソナルコンピューター、あるいは複写機やファクシミリ等の事務用機器にて出力される機密性の高い情報が外部に漏洩されるのを確実に防止することができる。また、機密性のない情報の場合には、本発明の解決手段７に記載の裏面再利用防止用紙を用いないことにより、安心して用紙の再利用を行うことが可能である。
【発明を実施するための最良の形態】
【００３７】
本発明を実施するための最良の形態を、以下に図面を参照しながら詳細に説明する。なお、実施例１〜実施例７は解決手段６の発明の１実施例であり、実施例８は解決手段７の発明の１実施例である。
【実施例１】
【００３８】
最初に、実施例１の構成について述べる。図１は、実施例１の裏面再利用防止用紙１の外観斜視図である。実施例１の裏面再利用防止用紙１は、ドットインパクトプリンタ（図示せず）の出力用紙として用いられる所謂連帳用紙で、Ｂ４判より一回り大きいサイズのシートＳ１、Ｓ１…がミシン目になっている折線ｍ、ｍ…で折畳まれて連続しており、上記ドットインパクトプリンタ（図示せず）から出力される際にも連続した形で出力される。なお、シートＳ１、Ｓ１…の両側には、上記ドットインパクトプリンタの用紙送り機構（図示せず）に嵌挿される孔ｈ、ｈ…が連続的に穿設されている。
【００３９】
シートＳ１は表面１ａと裏面１ｂを有し、上記ドットインパクトプリンタ（図示せず）による印字は表面１ａに行われ、裏面１ｂには行われない。従って、通常の裏面は白紙の状態であるが、実施例１の裏面再利用防止用紙１においては、図２に示すように予め（ドットインパクトプリンタに装着する以前に）裏面１ｂに印刷が施されている。
【００４０】
シートＳ１の裏面１ｂには、図２に見るように、僅かの余白を残して略全面に色面Ｃ１が印刷され、色面Ｃ１の中に、抜き文字で文字Ｌ１が繰り返し刷り込まれているが、この色面Ｃ１と文字Ｌ１が再利用防止要素である。裏面１ｂにおける任意の１辺２ｃｍの正方形を採った場合、必ずその中に色面Ｃ１と文字Ｌ１が含まれているように構成されている。文字Ｌ１は「メモ利用禁止・使用後溶解」と書かれており、このシートＳ１の裏面１ｂをメモ用紙として再利用することを禁ずるとともに、使用後はシートＳ１を溶解して表面１ａに記載された情報の読み出しが不可能となる状態にするように求めている。
【００４１】
色面Ｃ１は青色で、その印刷インクの濃度は、オフセット印刷用インクの黒色により形成される網点によって構成されるグレースケールに換算して５０％である。また、文字Ｌ１はゴシック体で、印刷色は青色で、印刷インクの濃度は上記グレースケールに換算して１０％である。したがって、色面Ｃ１と文字Ｌ１の濃度差は４０％であり、文字Ｌ１の視認性は充分に確保されている。また、所謂「裏うつり」に関しても、濃度差４０％は充分に問題の発生しない範囲内であり、通常の視力の人が通常の照明条件下で裏面再利用防止用紙１の表面１ａを見た場合、裏面１ｂに色面Ｃ１や文字Ｌ１が印刷されていることは、指摘されなければわからない程度である。なお、この濃度差は、５％〜８５％の間で任意に設定することが可能であり、望ましくは１０％〜７５％、さらに望ましくは１５％〜６５％の範囲内で任意に設定することが可能である。
【００４２】
また、文字Ｌ１は、シートＳ１の上辺１ｃに対して６．５°右上がりに傾斜して印字されている。右上がりの角度αは、２°〜１７８°まで任意の角度とすることが可能であるが、４°〜４５°の範囲とするのが望ましい。その理由は、角度αが２°を下回ると、人間の目には文字Ｌ１が上辺１ｃと略平行に見えてくるが、表面１ａの印字（図示せず）は通常上辺１ｃに平行に行われるので、文字Ｌ１が表面１ａに若干でも透けて見えた場合に、表面１ａの上記印字と文字Ｌ１が重なり、僅かでも読みづらくなるからである。角度αが１７８°を上回ったときにも同様の問題が生ずる。
【００４３】
角度αが４°以上になると、人間の目にも文字Ｌ１が上辺１ｃに対して明確に傾いて見えてくるので、叙上の問題点は解消される。また、角度αが４５°を越えると、表面１ａに透けて見えた場合に、表面１ａに印刷された文字列（図示せず）に対して文字Ｌ１の傾きが大きくなって「裏うつり」が生じた場合に文字Ｌ１が目立つようになるので、表面１ａに印字された文字を読む場合に若干でも違和感を生ずることとなる。従って、文字Ｌ１の角度αは上記４°〜４５°の範囲とするのが望ましい。あるいは、左右対称として１３５°〜１７６°の範囲としても良い。
【００４４】
また、再利用防止用紙１が細片（図示せず）に裁断された場合にても、該細片に文字Ｌ１ができるだけ含まれるように構成するという主旨からは、角度αはできるだけ大きい方が良いが、実際には、角度αが小の場合にても文字Ｌ１の行間を調整することによりその目的も充分に果たせるものである。すなわち、図２のように角度αが６．５°の場合でも、文字Ｌ１の行間を調整することにより、再利用防止用紙１が細片に裁断されても、いずれの細片にも文字Ｌ１が入ってくるように構成することができる。
【００４５】
色面Ｃ１と文字Ｌ１の色に関しては、実施例１においては両者共青色であるが、グレースケールを含めて任意の色を用いることが可能である。あるいは、色面Ｃ１の色と文字Ｌ１の色を異なる色相としても良い。例えば、色面Ｃ１を青色、文字Ｌ１を赤色とすれば、両者の濃度差がグレースケールに換算して１０％であっても、色相の差によって可読性は充分に保たれる。
【００４６】
また、表面１ａに印字される情報の重要度によって色面Ｃ１あるいは文字Ｌ１の色を変化させるということも可能である。例えば、表面１ａに重要度の高い情報が印字される場合には色面Ｃ１を赤色とし、文字Ｌ１を黄色とする。表面１ａに印字される情報の重要度が下がるにつれ、色面Ｃ１を緑色、青色と変化させ、それにつれて文字Ｌ１の色を変化させていくことも可能である。
【００４７】
実施例１の裏面再利用防止用紙１の作用は以下のとおりである。すなわち、実施例１の裏面再利用防止用紙１をドットインパクトプリンタ（図示せず）の出力用紙として用いた場合、裏面１ｂには既に色面Ｃ１と文字Ｌ１が印刷されているので、裏面１ｂをメモ用紙として再利用しようとした場合に、当然再利用せんとする人は色面Ｃ１中に抜き文字で印刷された文字Ｌ１を読むこととなる。文字Ｌ１は、裏面再利用防止用紙１をメモ用紙として再利用することを禁止し、かつ使用後に溶解することを求めているので、これにより表面１ａに印刷された情報の機密性は確実に守られることとなる。
【００４８】
また、仮に、日本語が読めない人の手に渡った場合にても、色面Ｃ１がグレースケールに換算して５０％の濃度であり、その中にグレースケールに換算して１０％の濃度の文字Ｌ１が抜き文字で斜めに、しかも連続的に印刷されているので、メモ用紙として再利用するには大きな抵抗感を生じる構成となっている。すなわち、色面Ｃ１と文字Ｌ１の組み合わせが、日本語の読めない人に対しては、メモとして再利用することを妨害する一種の図形として機能するように構成されているので、メモとして再利用することを禁止する意味合いは薄れるものの、メモとして再利用すること自体を妨害するという点において、充分に裏面再利用防止の役割を果たすものである。また、裏面１ｂの任意の１辺２ｃｍの正方形の範囲を採ってみても必ずそこに色面Ｃ１と文字Ｌ１が印刷されている状態であるので、細かく裁断して部分的にメモ用紙として利用しようとしても不可能である。
【実施例２】
【００４９】
図３には実施例２の裏面再利用防止用紙２を示す。実施例２の裏面再利用防止用紙２は、図１に示す実施例１の裏面再利用防止用紙１と略同様の構成であり、シートＳ２がミシン目ｍにて折畳まれて連続し、シートＳ２の両側には孔ｈ、ｈ…が連続して穿設されている。シートＳ２の表面２ａは白紙状態であるが、裏面２ｂには、僅かの余白を残して略全面に色面Ｃ２が印刷され、色面Ｃ２の中に、抜き文字で文字Ｌ２が刷り込まれている。この色面Ｃ２と文字Ｌ２が再利用防止要素であり、裏面２ｂにおける任意の１辺２ｃｍの正方形を採った場合、必ずその中に色面Ｃ２と文字Ｌ２が含まれているように構成されている。文字Ｌ２は「再利用禁止」と書かれており、このシートＳ２の裏面２ｂをメモ用紙や封筒用紙等として再利用することを禁じている。
【００５０】
色面Ｃ２は青色で、その印刷インクの濃度は、グレースケールに換算して５５％である。また、文字Ｌ２はゴシック体で印刷色は青色であり、印刷インクの濃度はグレースケールに換算して１５％である。したがって、色面Ｃ２と文字Ｌ２の濃度差は４０％であり、文字Ｌ２の視認性は充分に確保されている。また、所謂「裏うつり」に関しても、濃度差４０％は充分に問題の発生しない範囲内である。なお、この濃度差は、５％〜８５％の間で任意に設定することが可能であり、望ましくは１０％〜７５％、さらに望ましくは１５％〜６５％の範囲内で任意に設定することが可能である。
【００５１】
また、文字Ｌ２は、曲線状に波打って印字されている。したがって、万一所謂「裏うつり」にて表面２ａに文字Ｌ２が若干透過したとしても、表面２ａに印刷される文字列（図示せず）に対してアンダーラインやマーキング等であるとの誤解を与える可能性は極めて低いし、かつ表面２ａに印刷される文字列（図示せず）に重なって読む人に煩わしさを感じさせることもない。また、シートＳ２が各辺に平行に細片（図示せず）に裁断された場合の効果も、実施例１のシートＳ１と同様、該細片に文字Ｌ２が含まれる確率が非常に高く、この面でもメモ用紙としての再利用防止の効果が挙げられるものである。
【００５２】
色面Ｃ２と文字Ｌ２の色に関しては、実施例２においては両者共青色であるが、グレースケールを含めて任意の色を用いることが可能である。あるいは、色面Ｃ２の色と文字Ｌ２の色を異なる色相としても良い。また、表面２ａに印字される情報の重要度によって色面Ｃ２あるいは文字Ｌ２の色を変化させるということも無論可能である。
【００５３】
実施例２の裏面再利用防止用紙２の作用は実施例１の裏面再利用防止用紙１の作用と略同様であるが、文字Ｌ２が「再利用禁止」と書かれているので、メモ用紙としての再利用のみならず、封筒用紙として再利用されることを防止する効果もある。また、日本語が読めない人の手に渡った場合の作用効果も実施例１の裏面再利用防止用紙１の作用と略同様である。
【実施例３】
【００５４】
図４には実施例３の裏面再利用防止用紙３を示す。実施例３の裏面再利用防止用紙３は、図１に示す実施例１の裏面再利用防止用紙１と略同様の構成であり、シートＳ３がミシン目ｍにて折畳まれて連続し、シートＳ３の両側には孔ｈ、ｈ…が連続して穿設されている。シートＳ３の表面３ａは白紙状態であるが、裏面３ｂには、僅かの余白を残して略全面に色面Ｃ３が印刷され、色面Ｃ３の中に、抜き合せで文字と絵柄の組み合わせであるロゴマークＬＭ１、ＬＭ２が繰り返し連続して刷り込まれているが、この色面Ｃ３とロゴマークＬＭ１、ＬＭ２が再利用防止要素である。裏面３ｂにおける任意の１辺２ｃｍの正方形を採った場合、必ずその中に色面Ｃ３とロゴマークＬＭ１、ＬＭ２のどちらか一方あるいは両者が含まれているように構成されている。ロゴマークＬＭ１は「ＭＥＭＯ」という文字に禁止を意味する絵柄を組み合わせたものであり、ロゴマークＬＭ２は「メモ」という文字に禁止を意味する絵柄を組み合わせたものであって、ロゴマークＬＭ１、ＬＭ２共このシートＳ３の裏面３ｂをメモ用紙として再利用することを禁じている。
【００５５】
色面Ｃ３は青色で、その印刷インクの濃度は、グレースケールに換算して４７％である。また、ロゴマークＬＭ１、ＬＭ２の印刷色も青色で、印刷インクの濃度はグレースケールに換算して１２％である。したがって、色面Ｃ３とロゴマークＬＭ１、ＬＭ２の濃度差は３５％であり、ロゴマークＬＭ１、ＬＭ２の視認性は充分に確保されている。また、所謂「裏うつり」に関しても、濃度差３５％は充分に問題の発生しない範囲内である。なお、この濃度差は、５％〜８５％の間で任意に設定することが可能であり、望ましくは１０％〜７５％、さらに望ましくは１５％〜６５％の範囲内で任意に設定することが可能である。
【００５６】
また、ロゴマークＬＭ１、ＬＭ２は、両者共に外径が円形として構成されている。したがって、万一所謂「裏うつり」にて表面３ａにロゴマークＬＭ１、ＬＭ２が若干透過したとしても、表面３ａに印刷される文字列（図示せず）に対してアンダーラインやマーキング等であるとの誤解を与える可能性は全く無く、かつ表面３ａに印刷される文字列（図示せず）に重なって読む人に煩わしさを感じさせることもない。また、シートＳ３が各辺に平行に細片（図示せず）に裁断された場合のメモとしての再利用防止の効果も実施例１、２と同様である。
【００５７】
色面Ｃ３とロゴマークＬＭ１、ＬＭ２の色に関しては、実施例３においては両者共青色であるが、グレースケールを含めて任意の色を用いることが可能である。あるいは、色面Ｃ３の色とロゴマークＬＭ１、ＬＭ２の色を異なる色相としても良く、ロゴマークＬＭ１、ＬＭ２を互いに異なる色相としても良い。また、表面３ａに印字される情報の重要度によって色面Ｃ３あるいはロゴマークＬＭ１、ＬＭ２の色を変化させるということも当然可能である。
【００５８】
実施例３の裏面再利用防止用紙３の作用は実施例１の裏面再利用防止用紙１の作用と略同様であるが、ロゴマークＬＭ１中の文字が英語であり、ロゴマークＬＭ２中の文字が日本語なので、日本語を解する人にも英語を解する人にも有効な表示となる。さらに、日本語も英語も読めない人の手に渡った場合の作用効果も実施例１の裏面再利用防止用紙１の作用と略同様で、色面Ｃ３とロゴマークＬＭ１、ＬＭ２自体が裏面３ｂをメモ用紙として利用するのを妨害し、結果として裏面再利用防止用紙３が再利用されるのを防止するものである。
【実施例４】
【００５９】
図５には実施例４の裏面再利用防止用紙４を示す。実施例４の裏面再利用防止用紙４は、図１に示す実施例１の裏面再利用防止用紙１と略同様の構成であり、シートＳ４がミシン目ｍにて折畳まれて連続し、シートＳ４の両側には孔ｈ、ｈ…が連続して穿設されている。シートＳ４の表面４ａは白紙状態であるが、裏面４ｂには、僅かの余白を残して略全面に色面Ｃ４が印刷され、色面Ｃ４の中に、抜き合せで複数個の絵柄Ｆ１が連続して刷り込まれている。この色面Ｃ４と絵柄Ｆ１が再利用防止要素である。裏面４ｂにおける任意の１辺２ｃｍの正方形を採った場合、必ずその中に色面Ｃ４と絵柄Ｆ１が含まれているように構成されている。絵柄Ｆ１はメモを取るという意味を表す鉛筆を持った手の絵柄に禁止を意味する絵柄を組み合わせたものであり、シートＳ４の裏面４ｂをメモ用紙として再利用することを禁じている。
【００６０】
色面Ｃ４は青色で、その印刷インクの濃度は、グレースケールに換算して４５％である。また、絵柄Ｆ１の印刷色も青色で、印刷インクの濃度はグレースケールに換算して１０％である。したがって、色面Ｃ４と絵柄Ｆ１の濃度差は３５％であり、絵柄Ｆ１の視認性は充分に確保されている。また、所謂「裏うつり」に関しても、濃度差３５％は充分に問題の発生しない範囲内である。なお、この濃度差は、５％〜８５％の間で任意に設定することが可能であり、望ましくは１０％〜７５％、さらに望ましくは１５％〜６５％の範囲内で任意に設定することが可能である。
【００６１】
また、絵柄Ｆ１は外径が円形として構成されている。したがって、万一所謂「裏うつり」にて表面４ａに絵柄Ｆ１が若干透過したとしても、表面４ａに印刷される文字列（図示せず）に対してアンダーラインやマーキング等であるとの誤解を与える可能性は全く無く、かつ表面４ａに印刷される文字列（図示せず）に重なって読む人に煩わしさを感じさせることもない。また、シートＳ４が各辺に平行に細片（図示せず）に裁断された場合のメモとしての再利用防止の効果も実施例１〜３と同様である。
【００６２】
色面Ｃ４と絵柄Ｆ１の色に関しては、実施例４においては両者共青色であるが、グレースケールを含めて任意の色を用いることが可能である。あるいは、色面Ｃ４の色と絵柄Ｆ１の色を異なる色相としても良い。また、表面４ａに印字される情報の重要度によって色面Ｃ４あるいは絵柄Ｆ１の色を変化させるということも勿論可能である。
【００６３】
実施例４の裏面再利用防止用紙４の作用は実施例１の裏面再利用防止用紙１の作用と略同様であるが、絵柄Ｆ１中には文字が使用されておらず、絵柄の組み合わせだけで「メモ再利用禁止」の意味を伝達せんとしているので、いかなる言語を話す人にとっても有効な表示となる。さらに、絵柄Ｆ１自体で裏面４ｂがメモ用紙として再利用されるのを妨害している作用効果も実施例１の裏面再利用防止用紙１の作用効果と略同様で、結果として裏面再利用防止用紙４が再利用されるのを防止するものである。
【実施例５】
【００６４】
図６には実施例５の裏面再利用防止用紙５を示す。実施例５の裏面再利用防止用紙５は、図１に示す実施例１の裏面再利用防止用紙１と略同様の構成であり、シートＳ５がミシン目ｍにて折畳まれて連続し、シートＳ５の両側には孔ｈ、ｈ…が連続して穿設されている。シートＳ５の表面５ａは白紙状態であるが、裏面５ｂには、僅かの余白を残して略全面に色面Ｃ５が印刷されており、この色面Ｃ５が再利用防止要素である。裏面５ｂにおける任意の１辺２ｃｍの正方形を採った場合、当然必ずその中に色面Ｃ５が含まれている。
【００６５】
色面Ｃ５は青色で、その印刷インクの濃度は、グレースケールに換算して５０％である。したがって、色面Ｃ５と白紙の間の濃度差は５０％であり、色面Ｃ５の視認性は充分に確保されている。また、所謂「裏うつり」に関しては、裏面５ｂの略全面が色面Ｃ５にて被覆されているので問題は全く発生しない。なお、色面Ｃ５の濃度は、５％〜８５％の間で任意に設定することが可能であり、望ましくは１０％〜７５％、さらに望ましくは１５％〜６５％の範囲内で任意に設定することが可能である。
【００６６】
色面Ｃ５の色に関しては、実施例５においては青色であるが、グレースケールを含めて任意の色を用いることが可能である。あるいは、色面Ｃ５を適当に分割して、任意の複数色の組み合わせとすることもできる。
【００６７】
実施例５の裏面再利用防止用紙５の作用は実施例１の裏面再利用防止用紙１の作用と略同様であるが、色面Ｃ５は如何なる意味も表示するものではないので、色面Ｃ５により裏面５ｂがメモ用紙として再利用されるのを妨害している作用効果がクローズアップされることとなる。従って、この妨害作用が十全に発揮されるためには、色面Ｃ５の濃度は高い方が一般的には望ましいことになる。
【実施例６】
【００６８】
図７には実施例６の裏面再利用防止用紙６を示す。実施例６の裏面再利用防止用紙６は、図１に示す実施例１の裏面再利用防止用紙１と略同様の構成であり、シートＳ６がミシン目ｍにて折畳まれて連続し、シートＳ６の両側には孔ｈ、ｈ…が連続して穿設されている。シートＳ６の表面６ａは白紙状態であるが、裏面６ｂには、僅かの余白を残して略全面に折れ線状の絵柄Ｆ２と、同じく折れ線状の絵柄Ｆ３が繰り返し連続して印刷されている。この絵柄Ｆ２と絵柄Ｆ３が再利用防止要素であり、裏面６ｂにおける任意の１辺２ｃｍの正方形を採った場合、必ずその中に絵柄Ｆ２と絵柄Ｆ３が含まれているように構成されている。
【００６９】
絵柄Ｆ２は青色で、その印刷インクの濃度は、グレースケールに換算して６０％である。また、絵柄Ｆ３も青色で、その印刷インクの濃度は、グレースケールに換算して２０％である。したがって、絵柄Ｆ２と絵柄Ｆ３の濃度差は４０％であり、絵柄Ｆ２と絵柄Ｆ３の視認性は充分に確保されている。また、所謂「裏うつり」に関しても、濃度差４０％は充分に問題の発生しない範囲内である。なお、この濃度差は、５％〜８５％の間で任意に設定することが可能であり、望ましくは１０％〜７５％、さらに望ましくは１５％〜６５％の範囲内で任意に設定することが可能である。
【００７０】
また、絵柄Ｆ２、絵柄Ｆ３共にシートＳ６のいずれの辺に対して平行となる要素も全く持っていない。したがって、万一所謂「裏うつり」にて表面６ａに絵柄Ｆ２、絵柄Ｆ３が若干透過したとしても、表面６ａに印刷される文字列（図示せず）に対してアンダーラインやマーキング等であるとの誤解を与える可能性は全く無く、かつ表面６ａに印刷される文字列（図示せず）に重なって読む人に煩わしさを感じさせることもない。また、シートＳ６が各辺に平行に細片（図示せず）に裁断された場合のメモとしての再利用防止の効果も実施例１〜４と同様である。
【００７１】
絵柄Ｆ２、Ｆ３の色に関しては、実施例６においては両者共青色であるが、グレースケールを含めて任意の色を用いることが可能である。あるいは、絵柄Ｆ２と絵柄Ｆ３の色を異なる色相としても良い。また、表面６ａに印字される情報の重要度によって絵柄Ｆ２、Ｆ３の色を変化させるということも可能である。
【００７２】
実施例６の裏面再利用防止用紙６の作用は実施例１の裏面再利用防止用紙１の作用と略同様であるが、絵柄Ｆ２中にも絵柄Ｆ３中にも文字が使用されておらず、また、絵柄Ｆ２も絵柄Ｆ３も如何なる意味も表示するものではないので、絵柄Ｆ２と絵柄Ｆ３の組み合わせにより裏面６ｂがメモ用紙として再利用されるのを妨害している作用効果がクローズアップされることとなる。従って、絵柄Ｆ２と絵柄Ｆ３の明度差をある程度確保していくことが必要である。この明度差は、具体的には３０％〜８５％の範囲内になるであろう。
【実施例７】
【００７３】
図８には実施例７の裏面再利用防止用紙７を示す。実施例７の裏面再利防止用紙７は、図１に示す実施例１の裏面再利用防止用紙１と略同様の構成であり、シートＳ７がミシン目ｍにて折畳まれて連続し、シートＳ７の両側には孔ｈ、ｈ…が連続して穿設されている。シートＳ７の表面７ａは白紙状態であるが、シートＳ７の裏面７ｂには、白紙に文字Ｌ３が繰り返し刷り込まれており、この文字Ｌ３が再利用防止要素である。裏面７ｂにおける任意の１辺２ｃｍの正方形を採った場合、必ずその中に文字Ｌ３が含まれているように構成されている。文字Ｌ３は「メモ利用禁止・使用後溶解」と書かれており、このシートＳ７の裏面７ｂをメモ用紙として再利用することを禁ずるとともに、使用後はシートＳ７を溶解して表面７ａに記載された情報の読み出しが不可能となる状態にするように求めている。
【００７４】
文字Ｌ３はゴシック体で、印刷色は青色で印刷インクの濃度はグレースケールに換算して５０％である。したがって、白紙と文字Ｌ３の濃度差は５０％であり、文字Ｌ３の視認性は充分に確保されている。また、所謂「裏うつり」に関しても、濃度差５０％は充分に問題の発生しない範囲内であり、通常の視力の人が通常の照明条件下で連帳用紙７の表面７ａを見た場合、裏面７ｂに文字Ｌ３が印刷されていることは、指摘されなければわからない程度である。なお、この濃度差は、５％〜８５％の間で任意に設定することが可能であり、望ましくは１０％〜７５％、さらに望ましくは１５％〜６５％の範囲内で任意に設定することが可能である。
【００７５】
また、文字Ｌ３は、シートＳ７の上辺である上辺７ｃに対して６．５°右上がりに傾斜して印字されている。右上がりの角度αは、２°〜１７８°まで任意の角度とすることが可能であるが、４°〜４５°及び１３５°〜１７６°の範囲とするのが望ましい。その理由は、実施例１の当該箇所にて述べた理由と同一であるので詳述は省略する。また、文字Ｌ３の色に関しては、実施例７においては青色であるが、グレースケールを含めて任意の色を用いることが可能である。また、表面７ａに印字される情報の重要度によって文字Ｌ３の色を変化させるということも当然可能である。
【００７６】
実施例７の裏面再利用防止用紙７の作用は以下のとおりである。すなわち、実施例７の裏面再利用防止用紙７をドットインパクトプリンタ（図示せず）の出力用紙として用いた場合、裏面７ｂには既に文字Ｌ３が印刷されているので、裏面７ｂをメモ用紙として再利用しようとした場合に、当然再利用せんとする人は印刷された文字Ｌ３を読むこととなる。文字Ｌ３は、裏面再利用防止用紙７をメモ用紙として再利用すること自体を禁止し、かつ使用後に溶解することを求めているので、これにより表面７ａに印刷された情報の機密性は確実に守られることとなる。
【００７７】
また、仮に、日本語が読めない人の手に渡った場合にても、文字Ｌ３がグレースケールに換算して５０％の濃度であり、しかも連続的に印刷されているので、メモ用紙として再利用するには大きな抵抗感を生じる構成となっている。すなわち、連続して印刷された文字Ｌ３が、日本語の読めない人に対しては、メモとして再利用することを妨害する一種の図形として機能するように構成されているので、メモとして再利用することを禁止する意味合いは薄れるものの、メモとして再利用することを妨害するという点において、充分に裏面再利用防止の役割を果たすものである。
【実施例８】
【００７８】
最後に、実施例８の構成について述べる。図９ａは、実施例８の裏面再利用防止用紙８の外観斜視図である。実施例８の裏面再利用防止用紙８は、パーソナルコンピューター、複写機、ファクシミリ等（いずれも図示せず）の出力用紙として用いられる所謂単票用紙で、長方形のシート状である。現在はＢ５判、Ａ４判、Ｂ４判、Ａ３判の４種の規格サイズが主に用いられているが、その大きさ、形態共に上記規格サイズ以外のものとすることも当然可能である。
【００７９】
裏面再利用防止用紙８は表面８ａと裏面８ｂを有し、パーソナルコンピューターのプリンタ、複写機、ファクシミリ等（いずれも図示せず）による印字は表面８ａに行われ、裏面８ｂには行われない。従って、通常は裏面は白紙の状態であるが、実施例８の裏面再利用防止用紙８においては、図９ａ、図９ｂに示すように予め（パーソナルコンピューターのプリンタ、複写機、ファクシミリ等に装着する以前に）裏面８ｂに印刷が施されている。
【００８０】
裏面再利用防止用紙８の裏面８ｂには、僅かの余白を残して略全面に色面Ｃ６が印刷され、色面Ｃ６の中に、抜き文字で文字Ｌ４が繰り返し刷り込まれているが、この色面Ｃ６と文字Ｌ４が再利用防止要素である。裏面８ｂにおける任意の１辺２ｃｍの正方形を採った場合、必ずその中に色面色面Ｃ６と文字Ｌ４が含まれているように構成されている。文字Ｌ４は「メモ利用禁止・使用後溶解」と書かれており、この裏面再利用防止用紙８の裏面８ｂをメモ用紙として再利用することを禁ずるとともに、使用後は裏面再利用防止用紙８を溶解して表面８ａに記載された情報の読み出しが不可能となる状態にするように求めている。
【００８１】
色面Ｃ４は青色で、その印刷インクの濃度は、グレースケールに換算して４０％である。また、文字Ｌ４はゴシック体で、印刷色は青色で印刷インクの濃度はグレースケールに換算して５％である。したがって、色面Ｃ４と文字Ｌ４の濃度差は３５％であり、文字Ｌ４の視認性は充分に確保されている。また、所謂「裏うつり」に関しても、濃度差３５％は充分に問題の発生しない範囲内であり、通常の視力の人が通常の照明条件下で裏面再利用防止用紙８の表面８ａを見た場合、裏面８ｂに色面Ｃ６や文字Ｌ４が印刷されていることは、指摘されなければわからない程度である。なお、この濃度差は、５％〜８５％の間で任意に設定することが可能であり、望ましくは１０％〜７５％、さらに望ましくは１５％〜６５％の範囲内で任意に設定することが可能である。
【００８２】
また、文字Ｌ４は、裏面再利用防止用紙８の上辺８ｃに対して６．５°右上がりに傾斜して印字されている。右上がりの角度αは、２°〜１７８°まで任意の角度とすることが可能であるが、４°〜４５°の範囲及び１３５°〜１７６°の範囲とするのが望ましい。その理由は、実施例１の当該箇所にて述べた理由と同一であるので詳述は省略する。また、色面Ｃ６と文字Ｌ４の色に関しては、実施例８においては両者共青色であるが、グレースケールを含めて任意の色を用いることが可能であり、色面Ｃ６の色と文字Ｌ４の色を異なる色相とすることもできる。また、表面８ａに印字される情報の重要度によって色面Ｃ６あるいは文字Ｌ４の色を変化させるということも無論可能である。
【００８３】
実施例８の裏面再利用防止用紙８の作用は以下のとおりである。すなわち、実施例８の裏面再利用防止用紙８をパーソナルコンピューター、複写機、ファクシミリ等（いずれも図示せず）の出力用紙として用いた場合、裏面８ｂには既に色面Ｃ６と文字Ｌ４が印刷されているので、裏面８ｂをメモ用紙として再利用しようとした場合に、当然再利用せんとする人は色面Ｃ６中に抜き文字で印刷された文字Ｌ４を読むこととなる。文字Ｌ４は、裏面再利用防止用紙８をメモ用紙として再利用することを禁止し、かつ使用後に溶解することを求めているので、これにより表面８ａに印刷された情報の機密性は確実に守られることとなる。
【００８４】
また、仮に、日本語が読めない人の手に渡った場合にても、色面Ｃ６がグレースケールに換算して４０％の濃度であり、その中にグレースケールに換算して５％の濃度の文字Ｌ４が抜き文字で斜めに、しかも連続的に印刷されているので、メモ用紙として再利用するには大きな抵抗感を生じる構成となっている。すなわち、色面Ｃ６と文字Ｌ４の組み合わせが、日本語の読めない人に対しては、メモとして再利用することを妨害する一種の図形として機能するように構成されているので、メモとして再利用することを禁止する意味合いは薄れるものの、メモとして再利用すること自体を妨害するという点において、充分に裏面再利用防止の役割を果たすものである。また、裏面８ｂの任意の１辺２ｃｍの正方形の範囲を採ってみても必ずそこに色面Ｃ６と文字Ｌ４が印刷されている状態であるので、細かく裁断して部分的にメモ用紙として利用しようとしても不可能である。
【図面の簡単な説明】
【００８５】
【図１】本発明の実施例１の裏面再利用防止用紙の外観斜視図である。
【図２】本発明の実施例１の裏面再利用防止用紙の裏面に印刷された再利用防止要素を説明する説明図である。
【図３】本発明の実施例２の裏面再利用防止用紙の裏面に印刷された再利用防止要素を説明する説明図である。
【図４】本発明の実施例３の裏面再利用防止用紙の裏面に印刷された再利用防止要素を説明する説明図である。
【図５】本発明の実施例４の裏面再利用防止用紙の裏面に印刷された再利用防止要素を説明する説明図である。
【図６】本発明の実施例５の裏面再利用防止用紙の裏面に印刷された再利用防止要素を説明する説明図である。
【図７】本発明の実施例６の裏面再利用防止用紙の裏面に印刷された再利用防止要素を説明する説明図である。
【図８】本発明の実施例７の裏面再利用防止用紙の裏面に印刷された再利用防止要素を説明する説明図である。
【図９】（ａ）本発明の実施例８の裏面再利用防止用紙の外観斜視図である。（ｂ）本発明の実施例８の裏面再利用防止用紙の裏面に印刷された再利用防止要素を説明する説明図である。
【符号の説明】
【００８６】
１      裏面再利用防止用紙
１ａ    表面
１ｂ    裏面
１ｃ    上辺
２      裏面再利用防止用紙
２ａ    表面
２ｂ    裏面
３      裏面再利用防止用紙
３ａ    表面
３ｂ    裏面
４      裏面再利用防止用紙
４ａ    表面
４ｂ    裏面
５      裏面再利用防止用紙
５ａ    表面
５ｂ    裏面
６      裏面再利用防止用紙
６ａ    表面
６ｂ    裏面
７      裏面再利用防止用紙
７ａ    表面
７ｂ    裏面
７ｃ    上辺
８      裏面再利用防止用紙
８ａ    表面
８ｂ    裏面
８ｃ    上辺
Ｃ１    色面
Ｃ２    色面
Ｃ３    色面
Ｃ４    色面
Ｃ５    色面
Ｃ６    色面
Ｆ１    絵柄
Ｆ２    絵柄
Ｆ３    絵柄
Ｌ１    文字
Ｌ２    文字
Ｌ３    文字
Ｌ４    文字
ＬＭ１  ロゴマーク
ＬＭ２  ロゴマーク
Ｓ１    シート
Ｓ２    シート
Ｓ３    シート
Ｓ４    シート
Ｓ５    シート
Ｓ６    シート
Ｓ７    シート
ｈ      孔
ｍ      折線
α      角度
【図１】
2006069059.tif 000003
【図２】
2006069059.tif 000004
【図３】
2006069059.tif 000005
【図４】
2006069059.tif 000006
【図５】
2006069059.tif 000007
【図６】
2006069059.tif 000008
【図７】
2006069059.tif 000009
【図８】
2006069059.tif 000010
【図９】
2006069059.tif 000011